(57)【要約】【課題】外部用ドア枠を現場で組み立てることを可能とする。【解決手段】下枠２の開口幅方向の端部において、屋外側部位の上面に位置して第１固定部材６が立設され、屋内側部位に位置して第２固定部材７が設けてあり、縦枠３、４の屋外側部位の下方部位は第１固定部材６に外嵌され、屋外側見込面から第１止着部材で第１固定部材６に固定され、縦枠３、４の屋内側部位の下方部位は、第２固定部材７に第２止着部材で固定され、開口部全閉時に扉体５は、縦枠３、４及び下枠２の屋外側部位に位置しており、第１止着部材は扉体５の側端面で隠蔽され、第２止着部材は扉体５の屋内側に位置している。【選択図】図４
2010255367.tif 000002
【特許請求の範囲】
【請求項１】
外部用ドア枠における縦枠と下枠の連結構造において、
前記縦枠は、屋内側見付面と屋内側見込面を備えた屋内側部位と、屋外側見付面と屋外側見込面を備えた屋外側部位と、からなり、
前記下枠は、水平状の上面を備えた屋内側部位と、屋外側に向かって下向き傾斜状の上面を備えた屋外側部位と、からなり、
前記下枠の開口幅方向の端部において、前記屋外側部位の上面に位置して第１固定部材が立設され、前記屋内側部位に位置して第２固定部材が設けてあり、
前記縦枠の屋外側部位の下方部位は前記第１固定部材に外嵌され、当該屋外側部位の下端の少なくとも部分が前記下枠の屋外側部位の傾斜状の上面に当接した状態で、屋外側見込面から第１止着部材で前記第１固定部材に固定され、前記縦枠の屋内側部位の下方部位は、当該屋内側部位の下端の少なくとも部分が前記下枠の屋内側部位の水平状の上面に当接した状態で、前記第２固定部材に第２止着部材で固定されている、
縦枠と下枠の連結構造。
【請求項２】
前記第１止着部材は開口部に面する屋外側見込面に設けられ、
開口部全閉時に扉体は、前記縦枠及び前記下枠の前記屋外側部位に位置しており、前記第１止着部材は前記扉体の側端面で隠蔽され、前記第２止着部材は前記扉体の屋内側に位置している、
請求項１に記載の縦枠と下枠の連結構造。
【請求項３】
前記第１固定部材は、前記下枠の屋内側部位にまで達する延出部を備えており、前記延出部が、前記下枠の屋内側部位に係合されている、請求項１、２いずれかに記載の連結構造。
【発明の詳細な説明】
【技術分野】
【０００１】
本発明は、外部用ドア枠における縦枠と下枠の連結構造に関するものである。
【背景技術】
【０００２】
ドア枠には、いわゆる内部用ドア枠と外部用ドア枠がある。内部用ドア枠は、屋内に位置する建物開口部を開閉する扉体のドア枠であり、外部用ドア枠は、屋外と屋内の間に位置する建物開口部を開閉する扉体のドア枠であり、後者には雨水に曝され得るという特徴がある。
【０００３】
一般にドア枠は、四方枠として組み立てた状態で工場から出荷されるが、ドア枠を各枠材のまま出荷して現場で組み立てること（ノックダウン化）ができれば、輸送時の積載効率を向上させることで輸送コストを削減できるという利点がある。
【０００４】
従来、内部用ドア枠についてはノックダウン化が実施されている。例えば、特許文献１に開示された扉枠は溶接作業を行わないため、現場での組み立てに用いることができる。しかしながら、このものでは、下枠の上面に螺子孔を形成する必要があり、この扉枠を外部用ドア枠に適用するためには防水性の問題がある。
【０００５】
また、外部用ドア枠の下枠において、屋外側部位の上面は水切りのための傾斜面となっていることから、下枠に接続される縦枠の下端も傾斜面とする必要があり、縦枠下端の傾斜に合わせて固定のための部材を別途取り付けることは困難である。
【先行技術文献】
【特許文献】
【０００６】
【特許文献１】特開２００２−１７４０８３号公報
【発明の開示】
【発明が解決しようとする課題】
【０００７】
本発明は、外部用ドア枠を現場で組み立てることを可能とする縦枠と下枠の連結構造を提供することを目的とする。
【課題を解決するための手段】
【０００８】
本発明が採用した技術手段は、
外部用ドア枠における縦枠と下枠の連結構造において、
前記縦枠は、屋内側見付面と屋内側見込面を備えた屋内側部位と、屋外側見付面と屋外側見込面を備えた屋外側部位と、からなり、
前記下枠は、水平状の上面を備えた屋内側部位と、屋外側に向かって下向き傾斜状の上面を備えた屋外側部位と、からなり、
前記下枠の開口幅方向の端部において、前記屋外側部位の上面に位置して第１固定部材が立設され、前記屋内側部位に位置して第２固定部材が設けてあり、
前記縦枠の屋外側部位の下方部位は前記第１固定部材に外嵌され、当該屋外側部位の下端の少なくとも部分が前記下枠の屋外側部位の傾斜状の上面に当接した状態で、屋外側見込面から第１止着部材で前記第１固定部材に固定され、前記縦枠の屋内側部位の下方部位は、当該屋内側部位の下端の少なくとも部分が前記下枠の屋内側部位の水平状の上面に当接した状態で、前記第２固定部材に第２止着部材で固定されている、縦枠と下枠の連結構造、である。
【０００９】
前記屋外側部位の屋外側見込面は、開口部に面する見込面に加えて開口部から離間する側の見込面（実施形態における第１外側見込片３５、４５）を含んでもよく、この場合、第１止着部材は、開口部に面する見込面および／あるいは開口部から離間する側の見込面に設けられ得る。
１つの態様では、前記第１止着部材は開口部に面する屋外側見込面に設けられ、
開口部全閉時に扉体は、前記縦枠及び前記下枠の前記屋外側部位に位置しており、前記第１止着部材は前記扉体の側端面で隠蔽され、前記第２止着部材は前記扉体の屋内側に位置している。
【００１０】
１つの態様では、前記第１固定部材、前記第２固定部材は、下枠に溶接されている。
前記第１止着部材、前記第２止着部材としては、螺子、ブラインドリベット等のリベットが例示される。
１つの態様では、前記第１固定部材は、前記下枠の屋内側部位にまで達する延出部を備えており、前記延出部が、前記下枠の屋内側部位に係合されている。
【００１１】
１つの態様では、前記第２止着部材は、前記下枠の屋外側部位よりも高い位置で前記第２固定部材と前記縦枠の屋内側部位とを固定する。
１つの態様では、前記第２固定部材は、前記下枠の屋内側部位の内部に設けてあり、前記下枠の屋内側部位の上面の端部にはスリットが形成されており、前記縦枠の屋内側部位の下端には前記スリットに挿入する係止片が形成されており、前記スリットから下枠内部に挿入された前記係止片が前記第２固定部材に螺子等で固定される。
１つの態様では、前記第２固定部材は、前記下枠の屋内側部位の上面の長さ方向端部に設けてあり、縦枠の屋内側部位の下方部位が前記第２固定部材に螺子等で固定される。
【発明の効果】
【００１２】
本発明に係る縦枠と下枠の連結構造は、現場におけるドア枠の組み立てを可能とするものでありながら、下枠の屋外側部位に螺子孔等を設けることがないので、下枠の屋外側部位の防水性を損ねることがない。本発明に係る縦枠と下枠の連結構造では、第１固定部材、第２固定部材が接続された下枠に対して縦枠を連結するので、縦枠の傾斜状の下端に固定のための部材を別途設ける必要がない。第１固定部材、第２固定部材に対する縦枠の連結に螺子等の止着部材を用いるが、請求項２に記載の連結構造では、開口部全閉時には、止着部材は扉体の側端面で隠蔽されるか、扉体の背面に位置するため、雨水等の影響を最小化することができる。
【００１３】
前記第１固定部材は、前記下枠の屋内側部位にまで達する延出部を備えており、前記延出部が、前記下枠の屋内側部位に係合されているものでは、特に、第１固定部材を工場等で溶接する際に、下枠に対する第１固定部材の位置決めを容易にすると共に、第１固定部材が下枠に係合（仮固定）されるため、溶接作業の効率化を図ることができる。
【図面の簡単な説明】
【００１４】
【図１】外部用のドア枠の組み立て状態を示す正面図および側面図である。
【図２】下枠部分を拡大して示す縦断面図である。
【図３】ドア枠の横断面図である。
【図４】下枠に対する縦枠の連結を説明する斜視図である。
【図５】下枠に縦枠が連結された状態を示す斜視図である。
【図６】他の実施形態に係る下枠に対する縦枠の連結を説明する斜視図である。
【図７】下枠に縦枠が連結された状態を示す斜視図である。
【発明を実施するための形態】
【００１５】
本発明の実施形態を図面に基づいて詳細に説明する。図１は、外部用のドア枠の組み立て状態を示す正面図および側面図である。ドア枠は、上枠１、下枠２、戸先側縦枠３と戸尻側縦枠４の左右の縦枠、からなる四周枠である。上枠１の前面（屋外側見付面）には水切り１Aが設けてあり、図１の正面図の上方に水切り１Aを取り除いた上枠１を示している。戸尻側縦枠４には丁番の受部（ピン）４Aが装着されている。ドア枠は、それぞれ単体で工場から出荷された各枠１、２、３、４の端部同士を現場で連結することで組み立てられる。各枠１、２、３、４の端部同士の取り合いにおいて、左右の縦枠３、４の下端は下枠２の長さ方向両端部位の上面に載設され、上枠１の左右の端部は左右の縦枠３、４の上端部位の見込面に接続されている。
【００１６】
本明細書において、「屋外側」、「屋内側」とは必ずしも「屋外」、「屋内」にあることを意味するものではない。すなわち、実際に「屋外」、「屋内」に位置することに加えて、相対的な位置関係を示す意味においても用いられる。例えば、屋内外方向に延出する部材や部位において、屋外に近い側の部位を屋外側部位、屋内に近い側の部位を屋内側部位、と呼ぶ。以下に、ドア枠の下枠２および縦枠３、４の構成について詳細に説明する。
【００１７】
図２に示すように、下枠２は、屋外側見付面２０、屋内側見付面２１、建物開口部に面し、開口幅方向に延びる上面を備えており、上面は、屋外側の第１面部２２と屋内側の第２面部２３とから形成されている。第１面部２２は屋外に向かって下向き傾斜状に延出する傾斜面であり、第２面部２３は水平面である。
【００１８】
第２面部２３は第１面部２２に対して高い位置にあり、第１面部２２の後端（屋内側端部）と第２面部２３の前端（屋外側端部）とは段差状の凹部２４を介して接続されている。凹部２４は、第１面部２２の屋内側部位と、第１面部２２の屋内側端部から立ち上がる立ち上がり壁２４０と、第２面部２３の屋外側部位と、から形成されている。
【００１９】
下枠２は、屋外側見付面２０と屋外側の第１面部２２を備えた屋外側部位、屋内側見付面２１と屋内側の第２面部２３を備えた屋内側部位、とからなる。建物開口部全閉時には、扉体５の下端面５０が下枠２の屋外側部位の第１面部２２に近接対向し、扉体５の屋内側見付面５１の下端は凹部２４に充填された気密・緩衝部材（図示せず）に当接する。第２面部２３は、全閉状態にある扉体５の屋内側に位置すると共に、扉体５の下端面５０よりも高い位置にある。
【００２０】
図３に示すように、縦枠３、４は、それぞれ屋外側見付面３０、４０、屋内側見付面３１、４１、建物開口部に面する見込面を備えており、見込面は屋外側の第１見込面３２、４２と屋内側の第２見込面３３、４３とから形成されている。第１見込面３２、４２、第２見込面３３、４３は、垂直方向に延出する垂直面である。第２見込面３３、４３は第１見込面３２、４２に対して内側に位置しており、第１見込面３２、４２の後端（屋内側端部）と第２見込面３３、４３の前端（屋外側端部）とは段差状の凹部３４、４４を介して接続されている。凹部３４、４４は、第１見込壁３２´、４２´の屋内側部位と、第２見込壁３３´、４３´の屋外側部位と、第１見込壁３２´、４２´の屋内側端部から第２見込壁３３´、４３´へ見付方向に延びる底壁３４０、４４０と、から形成されている。
【００２１】
縦枠３、４は、屋外側見付面３０、４０と屋外側の第１見込面３２、４２を備えた屋外側部位と、屋内側見付面３１、４１と屋内側の第２見込面３３、４３を備えた屋内側部位と、からなる。建物開口部全閉時には、扉体５の側端面（見込面）５２、５３が第１見込面３２、４２に近接対向し、扉体５の屋内側見付面５１の幅方向端部は凹部３４、４４に充填された気密・緩衝部材（図示せず）に当接する。第２見込面３３、４３は、全閉状態にある扉体５の背面（屋内側）に位置する。
【００２２】
縦枠３、４の屋外側部位は、さらに、屋外側見付壁３０´、４０´の外側端部から第１見込壁３２´、４２´にそれぞれ対向するように延出する第１外側見込片３５、４５を備えている。縦枠３、４の屋内側部位は、さらに、屋内側見付壁３１´、４１´の外側端部から第２見込壁３３´、４３´にそれぞれ対向するように延出する第２外側見込片３６、４６を備えている。
【００２３】
上枠１は同様に、屋外側見付面、屋内側見付面、建物開口部に面する下面を備えていることは当業者に理解され、また、上枠１の構成は本発明の要旨ではないため、詳細な説明は省略する。また、上枠１と左右の縦枠３、４との連結構造としては、内部用ドア枠のノックダウン工法で用いられる従来の連結構造を採用することができる。
【００２４】
図２乃至図４に示すように、下枠２の第１面部２２の長さ方向両端部の縦枠３、４が載設される部位には第１固定部材６が立ち上がり状に装着されている。第１固定部材６は、見込方向に対向状に延出する側壁６０、６１と、見付方向に延出し、側壁６０、６１の屋外側端部同士を連結する前壁６２と、から平面視略コ字形状を有する。開口部に近い側の側壁６０の下半側は見込方向に屋内側へ延出する延出部６００となっており、延出部６００は第２面部２３の部分にまで達している。延出部６００の先端には見込方向に水平に延びるスリット６０１が形成されている。延出部６００の基端側の下端は段部となっており、延出部６００の下端は側壁６０の下端よりも高い位置から水平状に延出している。
【００２５】
側壁６０、６１の下端は第１面部２２の傾斜面に対応するように傾斜しており、第１面部２２に対して接続（典型的には溶接であるが、接着剤を用いた接着等でもよい）されている。さらに側壁６０、６１の下端と第１面部２２との接続部に止水処理が施されている。
【００２６】
第１固定部材６は、第１固定部材６の延出部６００のスリット６０１を介して、下枠２の第２面部２３の長さ方向両端部の縦枠３、４が載設される部位に対して以下に説明するように係合されている。
【００２７】
第２面部２３の長さ方向端部において、凹部２４の上面を形成する第２面部２３の屋外側部位に対応する部位を切り欠くことで面部２３０が形成されている。さらに上側が切り欠かれた凹部２４の立ち上がり壁２４０の上半部の一部（端部側）が切り欠かれて立ち上がり壁２４１が形成され、立ち上がり壁２４０の端縁が立ち上がり壁２４１に対して段部状となっている。面部２３０には、切り欠かれて形成された端縁（屋外側端縁）から見込方向に延びる第１スリット２３１が形成されている。側壁６０、６１の下端が第１面部２２上に載置された状態で、第１固定部材６の延出部６００の下端は立ち上がり壁２４１の上端に載っており、かつ、前記段部を形成する立ち上がり壁２４０の端縁に当接しており、第１固定部材６の延出部６００のスリット６０１が面部２３０の第１スリット２３１に係合されている。
【００２８】
第１固定部材６は工場で下枠２に接続される。第１固定部材６を下枠２に接続する際には、先ず、側壁６０、６１の下端が第１面部２２上に載置された状態で、第１固定部材６の延出部６００のスリット６０１を面部２３０の第１スリット２３１に係合させる。第１固定部材６を下枠２の屋内側部位に係合させることで、下枠２に対する第１固定部材６の位置決めが行われ、工場における第１固定部材６の下端と下枠２の第１面部２２の上面との溶接作業を効率よく行うことができる。
【００２９】
縦枠３、４の屋外側部位の下端は、第１固定部材６の側壁６０、６１の下端と同様に、第１面部２２の傾斜面に対応するように傾斜している。第１固定部材６の側壁６０、６１の外面間の寸法は、縦枠３、４の第１見込壁３２´、４２´と第１外側見込片３５、４５の内面間の寸法と略同じであり、第１固定部材６に、上方から縦枠３、４の屋外側部位が被さって外嵌した時に、第１固定部材６が縦枠３、４の屋外側部位（第１見込壁３２´、４２´屋外側見付壁３０´、４０´、第１外側見込片３５、４５）の内面に接触した状態となる。
【００３０】
縦枠３、４の第１見込壁３２´、４２´、第１外側見込片３５、４５、第１固定部材６の側壁６０、６１には、第１固定部材６の屋外側部位に外嵌する縦枠３、４の屋外側部位の下端が、第１面部２２の傾斜面に当接した状態において、それぞれ一致するように螺子孔６０A、６１A、４２A（その他の孔は図示せず）が形成されている。縦枠３、４の見込面から螺入される螺子S１、S2を用いて、縦枠３、４の屋外側部位の下方部位を第１固定部材６に固定する。
【００３１】
螺子S1は、縦枠３、４の第１見込面３２、４２から螺入されるが、螺子孔６０Aは第１固定部材６の側壁６０の上方部位（下枠２から離間した側）に形成されており、下枠２の第１面部２２からの雨水の跳ね返りの影響を最小化している。さらに、螺子S1は、開口部全閉時に扉体５の側端面５２、５３によって隠蔽されるため、雨水の影響を最小化している。螺子S2は、縦枠３、４の第１外側見込片３５、４５から螺入されるが、第１外側見込片３５、４５はドア枠の施工後に壁内に埋設されるため、螺子S2が雨水の影響を受けることはない。
【００３２】
さらに、面部２３０の屋内側部位を切り欠いて第１切り欠き部２３２が形成され、長さ方向端部の屋内側部位を切り欠いて第２切り欠き部２３３が形成されている。面部２３０には、第１スリット２３１に対して建物開口部側に位置して、縦枠３、４の第２見込壁３３´、４３´の直下に位置して、見込方向の延びる第２スリット２３４が形成されている。
【００３３】
下枠２の内部において、下枠２の第２面部２３の下面には、第２スリット２３４に近接させて見込方向に延出する見込壁７０と、対向状に見付方向に延出する見付壁７１、７２と、から平面視コ字形状に形成された第２固定部材７が溶接されている。下枠２に対する第２固定部材７の固着は工場において行なわれ、固着手段は溶接には限定されず、接着、止着部材を用いた固着等でもよい。
【００３４】
縦枠３、４の第２見込壁３３´、４３´の下端部位は、第１スリット２３４から下枠２内部に挿入する舌状の係止片３３０、４３０、第１切り欠き部２３２に位置する突片３３１、４３１、を形成するように切り欠くことで、第１切り欠き部３３２、４３２、第２切り欠き部３３３、４３３が形成されている。縦枠３、４の屋外側部位を第１固定部材６に外嵌させて、縦枠３、４の下端を第１面部２２に載設させた時に、縦枠３、４の屋内側部位の下端の係止片３３０、４３０が第２スリット２３４を通して下枠２内に延出し、第２固定部材７の見込壁７０と近接ないし接触する。この時に、第１切り欠き部３３２、４３２、第２切り欠き部３３３、４３３の切り欠くことで形成された下縁が第２面部２３の水平状の上面に当接する。突片３３１、４３１は、第１切り欠き部２３２を通して第２面部２３よりも下方に延出し、縦枠３、４の第２外側見込片３６、４６は、第２切り欠き部２３３を通して第２面部２３よりも下方に延出する。また、凹部３４、４４の底壁３４０、４４０の下端部位も第２面部２３よりも下方に延出し、下枠２の凹部２４の立ち上がり壁２４０に重なるように接触している（図２参照）。
【００３５】
縦枠３、４の第２見込壁３３、４３の下端に形成された係止片３３０、４３０、第２固定部材７の見込壁７０には、縦枠３、４の屋内側部位が第２面部２３の水平面に載設された状態において、互いに一致するように受孔３３０A、４３０A、７０Aが形成されており、螺子S3によって縦枠３、４の下端の係止片３３０、４３０を第２固定部材７の見込壁７０（ポップナットS3´）に固定する。また、図２に示す受孔３３０Aの高さ位置から明らかなように、螺子S3は、下枠２の屋外側部位の第１面部２２の上面よりも高い位置に設けられる。
【００３６】
図６、図７には、第２固定部材の他の実施形態を示す。図２乃至図５と同様の構成要素については同一の参照番号が付してあり、同じ参照番号が付された構成要素の説明については、既述の記載を援用することができる。
【００３７】
図６に示すように、第２固定部材８は、立ち上がり状の垂直片８０と水平状の装着片８１とからL形状に形成されており、装着片８１が第２面部２３上に溶接されている。縦枠４の第２見込壁４３´の下端部位は、突片４３１を形成するように切り欠くことで、切り欠き部４３２´が形成されている。面部２３０には、スリット２３１のみが形成され、スリット２３４は形成されていない。以下、縦枠４と下枠２の屋内側部位の連結構造について説明するが、縦枠３と下枠２の連結構造も同様である。
【００３８】
縦枠４の屋外側部位の下端を第１面部２２に載設した時に、切り欠き部４３２´の下縁が第２面部２３の水平面に当接する。突片４３１は、第１切り欠き部２３２を通して第２面部２３よりも下方に延出し、縦枠４の第２外側見込片４６は、第２切り欠き部２３３を通して第２面部２３よりも下方に延出する。
【００３９】
縦枠４の第２見込壁４３´の下方部位、第２固定部材８の垂直壁８０には、縦枠３、４の屋内側部位が第２面部２３の水平面に載設された状態において、互いに一致するように螺子孔８０A、４３Aが形成されており、螺子（図示せず）によって縦枠４の第２見込壁４３と、第２固定部材８の垂直片８０を固定する。
【産業上の利用可能性】
【００４０】
本発明は、外部用ドア枠のノックダウン工法に利用することができる。
【符号の説明】
【００４１】
２  下枠
２２  第１面部
２３  第２面部
３、４  縦枠
３２、４２  第１見込面
３３、４３  第２見込面
５  扉体
６  第１固定部材
７  第２固定部材
８  第２固定部材
【図１】
2010255367.tif 000003
【図２】
2010255367.tif 000004
【図３】
2010255367.tif 000005
【図４】
2010255367.tif 000006
【図５】
2010255367.tif 000007
【図６】
2010255367.tif 000008
【図７】
2010255367.tif 000009